Podtech/llm-jp-corpus-v4-ja_patent huggingface dataset:
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
グラフト反応によって、少なくとも1個の不飽和を示す不飽和ポリマーを変性する方法であって、１，３−双極性化合物と前記不飽和ポリマーの少なくとも1個の不飽和との反応を含み、
前記１，３−双極性化合物が、ニトリルオキシド、ニトリルイミンおよびニトロンからなる群から選ばれ、且つ下記の式（Ｉ）に相応し：
Q−A−B       (I)
［式中、Ｑは、少なくとも１個の窒素原子を含有する双極子を含有し；
Ａは、ＱをＢに連結する１個の原子または複数の原子の基であり；
Ｂは、下記の式（ＩＩ）に相応する環を含む：
【化１】
2016535744.tif 000001
（式中、４つの符号Ｚ、Ｙ、ＲおよびＲ’のうちの３つは、同一または異なるものであって、各々、１個の原子または複数の原子の基を示し；ＺおよびＹは、これらが結合している炭素原子と一緒に環を形成することができ、そして、４番目の符号Ｚ、Ｙ、ＲまたはＲ’は、Ａへの直接結合を示す）］
ことを特徴とする前記方法。
【請求項２】
Ｒ’が、Ａへの直接結合を示す、請求項１記載の方法。
【請求項３】
ＺおよびＹが、各々、水素原子であるか、またはこれらが結合している炭素原子と一緒に環を形成している、請求項１または２に記載の方法。
【請求項４】
Ｒが、水素原子を示すか、または少なくとも１個のヘテロ原子を含有することができる炭素系基を示す、請求項１〜３のいずれか１項記載の方法。
【請求項５】
Ｑが、−Ｃ≡Ｎ→Ｏ単位を含有する、請求項１〜４のいずれか１項記載の方法。
【請求項６】
下記の式（ＩＩＩ）に相応する単位を含む、請求項５記載の化合物：
【化２】
2016535744.tif 000002
(式中、5つの符号Ｒ1〜Ｒ5のうちの４つは、同一または異なるものであって、各々、１個の原子または複数の原子の基であり；５番目の符号は、Ａへの直接結合を示し、Ｒ1およびＲ5は、双方とも、Ｈ以外である)。
【請求項７】
Ｒ1、Ｒ3およびＲ5が、各々、１〜６個の炭素原子のある、請求項６に記載の化合物。
【請求項８】
前記不飽和ポリマーが、ジエンポリマーである、請求項１〜７のいずれか１項記載の方法。
【請求項９】
請求項１〜８のいずれか１項に従って定義した方法によって得ることのできるポリマー。
【請求項１０】
請求項５〜７のいずれか１項に従って定義した１，３−双極性化合物。
【請求項１１】
２，４，６−トリメチル−３−（（２−メチル−１Ｈ−イミダゾール−１−イル）メチル）ベンゾニトリルオキシド、または２，４，６−トリエチル−３−（（２−メチル−１Ｈ−イミダゾール−１−イル）メチル）ベンゾニトリルオキシドである、請求項１０記載の１，３−双極性化合物。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
膠芽腫、卵巣過剰刺激症候群、肺浮腫、線維筋痛症および多発性硬化症から選択される、アクアポリンにより仲介される疾患または症状を処置または抑制するための、アクアポリン阻害剤を有効成分として含む医薬組成物において、アクアポリン阻害剤は、遊離または医薬上許容される塩の形態の式１ａ：
【化１】
2016535787.tif 000001
［式中、Ｒ１、Ｒ２、Ｒ３、Ｒ４およびＲ５は、Ｈ、ハロ、ハロゲン化Ｃ１−４アルキルおよびシアノから選択され；Ｒ６は、Ｈおよび生理学的に加水分解可能で許容されるアシルから選択される］
で示される化合物である、組成物。
【請求項２】
Ｒ１が、トリフルオロメチル、クロロ、フルオロおよびブロモから選択され；Ｒ３およびＲ５が、同一または異なって、トリフルオロメチル、クロロ、フルオロおよびブロモから選択され；Ｒ２およびＲ４がいずれもＨである、請求項１に記載の組成物。
【請求項３】
Ｒ１が、クロロおよびブロモから選択され；Ｒ３およびＲ５がいずれもトリフルオロメチルであり；Ｒ２、Ｒ４およびＲ６がいずれもＨである、請求項２に記載の組成物。
【請求項４】
Ｒ６が、置換されたホスホノ基であるか、または置換されていないホスホノ基である、請求項１に記載の組成物。
【請求項５】
式１ａで示される化合物が、
【化２】
2016535787.tif 000002
【化３】
2016535787.tif 000003
から選択される、請求項１に記載の組成物。
【請求項６】
式１ａで示される化合物が、遊離または医薬上許容される塩の形態の、
【化４】
2016535787.tif 000004
である、請求項１に記載の組成物。
【請求項７】
式１ａで示される化合物が、遊離形態の、
【化５】
2016535787.tif 000005
である、請求項１に記載の組成物。
【請求項８】
式１ａで示される化合物が、
【化６】
2016535787.tif 000006
である、請求項１に記載の組成物。
【請求項９】
式１ａで示される化合物が、遊離または医薬上許容される塩の形態の、
【化７】
2016535787.tif 000007
である、請求項１に記載の組成物。
【請求項１０】
処置または抑制される症状が、膠芽腫である、請求項１〜９のいずれかに記載の組成物。
【請求項１１】
処置または制御される症状が、卵巣過剰刺激症候群である、請求項１〜９のいずれかに記載の組成物。
【請求項１２】
処置または制御される症状が、肺浮腫である、請求項１〜９のいずれかに記載の組成物。
【請求項１３】
処置または抑制される症状が、線維筋痛症である、請求項１〜９のいずれかに記載の組成物。
【請求項１４】
処置または制御される症状が、多発性硬化症である、請求項１〜９のいずれかに記載の組成物。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
ブプロピオン、ヒドロキシブプロピオン、エリスロヒドロキシブプロピオン、またはトレオヒドロキシブプロピオンをデキストロメトルファンとヒトに共投与することにより、デキストロメトルファンでの治療を必要とする、デキストロメトルファンの高代謝群であるヒトにおけるデキストロメトルファンの血漿濃度を増大することにおいて使用されるデキストロメトルファンを含む組成物。
【請求項２】
ブプロピオン、ヒドロキシブプロピオン、エリスロヒドロキシブプロピオン、またはトレオヒドロキシブプロピオンは、少なくとも８日間連続でデキストロメトルファンと共投与される、請求項１に記載の組成物。
【請求項３】
８日目に、デキストロメトルファンは、ブプロピオン、ヒドロキシブプロピオン、エリスロヒドロキシブプロピオン、またはトレオヒドロキシブプロピオンを共投与せずにデキストロメトルファンの同じ量を投与することによって達成され得る血漿濃度の少なくとも８０倍である、ブプロピオン、ヒドロキシブプロピオン、エリスロヒドロキシブプロピオン、またはトレオヒドロキシブプロピオンをデキストロメトルファンと共投与してから１２時間後の血漿濃度を有する、請求項２に記載の組成物。
【請求項４】
約４０ｍｇから約１４０ｍｇのデキストロメトルファンが、１日あたり投与される、請求項１、２、または３に記載の組成物。
【請求項５】
約６０ｍｇから約１００ｍｇのデキストロメトルファンが、１日あたり投与される、請求項４に記載の組成物。
【請求項６】
ブプロピオンは、デキストロメトルファンと共投与される、請求項１、２、３、４、または５に記載の組成物。
【請求項７】
約１００ｍｇから約２５０ｍｇのブプロピオンが、１日あたり投与される、請求項６に記載の組成物。
【請求項８】
約２００ｍｇから約２５０ｍｇのブプロピオンが、１日あたり投与される、請求項６に記載の組成物。
【請求項９】
ブプロピオンは、８日目に、ブプロピオン無しで投与されるデキストロメトルファンの同じ量の血漿濃度の少なくとも１０倍である前記ヒトにおけるデキストロメトルファンの血漿濃度をもたらす量で投与される、請求項１、２、３、４、５、６、７、または８に記載の組成物。
【請求項１０】
ブプロピオン、ヒドロキシブプロピオン、エリスロヒドロキシブプロピオン、またはトレオヒドロキシブプロピオンは、疼痛または神経障害の治療のためにデキストロメトルファンと共投与される、請求項１、２、３、４、５、６、７、８または９に記載の組成物。
【請求項１１】
前記疼痛は、術後疼痛、癌性疼痛、関節痛、腰仙部の痛み、筋骨格系疼痛、中枢多発性硬化症の痛み、侵害受容性疼痛、または神経因性疼痛を含む、請求項１０に記載の組成物。
【請求項１２】
前記神経障害は、感情障害、精神障害、脳機能障害、運動障害、認知症、運動ニューロン疾患、神経変性疾患、発作障害、または頭痛である、請求項１０に記載の組成物。
【請求項１３】
前記神経障害は、うつ病である、請求項１０に記載の組成物。
【請求項１４】
前記神経障害は、アルツハイマー病における動揺である、請求項１０に記載の組成物。
【請求項１５】
前記ブプロピオン、ヒドロキシブプロピオン、エリスロヒドロキシブプロピオン、またはトレオヒドロキシブプロピオンは、単一剤形でデキストロメトルファンと共投与される、請求項１、２、３、４、５、６、７、８、９、１０、１１、１２、１３または１４に記載の組成物。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸を含有し、黒色腫または急性骨髄性白血病の治療のための方法において使用するための医薬組成物であって、前記方法が、そのような治療を必要とする患者に、有効量の２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸と、トラメチニブとを投与することを含むものである、医薬組成物。
【請求項２】
請求項１に記載の、２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸を含有し、黒色腫または急性骨髄性白血病の治療のための方法において使用するための医薬組成物であって、前記方法が、ダブラフェニブを投与することを更に含むものである、医薬組成物。
【請求項３】
請求項１または２に記載の、２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸を含有し、黒色腫の治療のための方法において使用するための医薬組成物であって、前記黒色腫がＢＲＡＦ  Ｖ６００Ｅ変異またはＶ６００Ｋ変異を有するものである、医薬組成物。
【請求項４】
請求項１または２に記載の、２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸を含有し、急性骨髄性白血病の治療のための方法において使用するための医薬組成物であって、前記急性骨髄性白血病がＦＬＴ３−ＩＴＤ変異を有するものである、医薬組成物。
【請求項５】
黒色腫または急性骨髄性白血病の治療方法において使用するための医薬組成物のキットであって、前記キットが、別個の医薬組成物を具備し、前記別個の医薬組成物の一方が２−（（３Ｒ，５Ｒ，６Ｓ）−５−（３−クロロフェニル）−６−（４−クロロフェニル）−１−（（Ｓ）−１−（イソプロピルスルホニル）−３−メチルブタン−２−イル）−３−メチル−２−オキソピペリジン−３−イル）酢酸を含有し、且つ他方の医薬組成物がトラメチニブを含有する、キット。
【請求項６】
請求項５に記載の、黒色腫または急性骨髄性白血病の治療方法において使用するための医薬組成物のキットであって、前記キットが、ダブラフェニブを含む別個の医薬組成物を更に具備する、キット。
【手続補正書】
【提出日】平成29年10月19日(2017.10.19)
【手続補正１】
【補正対象書類名】明細書
【補正対象項目名】発明の名称
【補正方法】変更
【補正の内容】
【発明の名称】急速崩壊性固体剤形
【手続補正２】
【補正対象書類名】特許請求の範囲
【補正対象項目名】請求項１４
【補正方法】変更
【補正の内容】
【請求項１４】
患者の口腔に投与される、アポモルヒネ／ポリマーの固溶体／固体分散体を含むパーキンソン病治療用急速崩壊性固体剤形であって、前記アポモルヒネ／ポリマーの固溶体／固体分散体は、５０重量％以下のアポモルヒネ、水溶性ポリマー、及び抗酸化剤を含み、前記アポモルヒネ／ポリマーの固溶体／固体分散体は、６．２±１．０のｐＨで３７±０．５℃の温度の模倣唾液内に置かれたとき、５分以内に溶け、急速崩壊性及び溶解性の前記固体剤形は有効量の吸収を可能とすることを特徴とする急速崩壊性固体剤形。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
少なくとも１種のフッ化ビニリデンをベースとするポリマー、少なくとも１種のアクリルポリマーおよび少なくとも１種の紫外線吸収剤からなる、ポリマー組成物であって、フルオロポリマーの重量割合が６０から９０％であり、紫外線吸収剤の重量割合が０．５から５％であり、紫外線吸収剤の分子量が５００ｇ／ｍｏｌを超える、ポリマー組成物。
【請求項２】
フッ化ビニリデンをベースとするポリマーが、フッ化ビニリデンホモポリマーおよびフッ化ビニリデンと少なくとも１種の他のフルオロモノマーとのコポリマーから選択される、請求項１に記載の組成物。
【請求項３】
アクリルポリマーが、メタクリル酸メチルホモポリマーまたは少なくとも５０重量％のメタクリル酸メチルと、メタクリル酸メチルと共重合することができる、（メタ）アクリル酸アルキル、アクリロニトリル、ブタジエン、スチレンおよびイソプレンから選択される少なくとも１種の他のモノマーとを含むコポリマーである、請求項１または２に記載の組成物。
【請求項４】
フッ化ビニリデンをベースとするポリマーの重量割合が、６０から８０％である、請求項１から３のいずれか一項に記載の組成物。
【請求項５】
紫外線吸収剤が、ベンゾフェノン、ベンゾトリアゾール、トリアジン、シアノアクリレートおよびオキサルアニリド：１，３−ビス［（２’−シアノ−３’，３’−ジフェニルアクリロイル）オキシ］−２，２−ビス｛［（２’−シアノ−３’，３’−ジフェニルアクリロイル）オキシ］メチル｝プロパン、２，２’−メチレンビス（６−（２Ｈ−ベンゾトリアゾール−２−イル）−４−（１，１，３，３−テトラメチルブチル）フェノール）、２−［４，６−ビス（２，４−ジメチルフェニル）−１，３，５−トリアジン−２−イル］−５−（オクチルオキシ）フェノールまたはポリ（４−（２−アクリロイルオキシエトキシ）−２−ヒドロキシベンゾフェノンから選択される、請求項１から４のいずれか一項に記載の組成物。
【請求項６】
４００から８００ｎｍの範囲において９０％超の透明度および２８０ｎｍから３８０ｎｍに少なくとも１の紫外線吸光度を有する、請求項１から５のいずれか一項に記載の組成物からなる単層フィルム。
【請求項７】
５から５００ミクロンの範囲の厚さを有する、請求項６に記載のフィルム。
【請求項８】
４００から８００ｎｍの範囲において９０％超の透明度および２８０ｎｍから３８０ｎｍに少なくとも１の紫外線吸光度を有する、請求項１から５のいずれか一項に記載の組成物からなる少なくとも１つの層を含む多層フィルム。
【請求項９】
二層フィルムであり、第２の層が、１００から０％のＰＶＤＦおよび０から４０％のＰＭＭＡを含む、請求項８に記載のフィルム。
【請求項１０】
三層フィルムであり、内部層が、請求項１から５のいずれか一項に記載の組成物からなり、外部層が、１００から０％のＰＶＤＦおよび０から４０％のＰＭＭＡを含む、請求項８に記載のフィルム。
【請求項１１】
１０から５００ミクロンの範囲の厚さを有する、請求項８から１０のいずれか一項に記載のフィルム。
【請求項１２】
２２０から２６０℃の範囲の温度において、インフレーションフィルム押出により、請求項６または７に記載の単層フィルムを製造する方法。
【請求項１３】
キャストフィルム押出により、請求項６または７に記載の単層フィルムを製造する方法。
【請求項１４】
ポリエステル、ポリカーボネート、ポリオレフィン、ポリスチレン、スチレン／アクリレートコポリマー、アクリロニトリル／スチレンコポリマー、ポリスルホン、ポリウレタン、アクリルポリマー、ポリ塩化ビニル、ポリ（フェニレンエーテル）、ポリアセタール、ポリアミドをベースとする樹脂、ポリイミドをベースとする樹脂およびポリアミドイミドをベースとする樹脂から製造される基材、およびこのリストからの２種以上のポリマーのブレンドから選択されるポリマー基材、または
可撓性基材
を保護するための、請求項６および７のいずれかに記載のフィルムまたは請求項８から１１のいずれか一項に記載のフィルムの使用。
【請求項１５】
可撓性基材が、ＰＶＣ、ガラス織物、ガラスマット、アラミドまたはポリ（ｐ−フェニレンテレフタルアミド）から製造される工業用布である、請求項１４に記載の使用。
【請求項１６】
太陽光発電パネルの背面を保護するための請求項６もしくは７のいずれかに記載のフィルムまたは請求項８から１１のいずれか一項に記載のフィルムを含む、太陽光発電パネル。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
収納体に用いられるシールアセンブリにおいて、
前記収納体に固定され、かつ前記収納体の開口を密封するように延伸するシール体であって、前記収納体の前記開口と連通し、かつ前記収納体の内部と前記収納体の外部との間で前記収納体内の製品を排出するための通路を提供する貫通孔を備えるシール体と、
ポートを有すると共に、前記シール体に摺動可能に取り付けられるシール部材であって、閉位置と開位置との間で摺動し、前記閉位置では前記ポートと前記シール体における前記貫通孔とが一致しなく、前記シール部材の前記貫通孔が閉じられ、前記開位置では前記ポートと前記シール体における前記貫通孔とが一致するようになるシール部材と、
を備えるシールアセンブリ。
【請求項２】
前記シール体は、略円筒形となっている請求項１に記載のシールアセンブリ。
【請求項３】
前記貫通孔の横断面が円形となっている請求項１または２に記載のシールアセンブリ。
【請求項４】
前記貫通孔は、その長手方向に沿ってテーパー状となっている請求項１〜３の何れか１項に記載のシールアセンブリ。
【請求項５】
前記貫通孔の縦軸線と前記シール体の縦軸線とが一致する請求項１〜４の何れか１項に記載のシールアセンブリ。
【請求項６】
前記シール体は、前記収納体の前記開口を横切るように延伸するシール部を備えており、
前記貫通孔は、前記シール部を貫通するように延伸している請求項１〜５の何れか１項に記載のシールアセンブリ。
【請求項７】
前記シール部は、扁平体である請求項６に記載のシールアセンブリ。
【請求項８】
前記シール部は、円盤である請求項７に記載のシールアセンブリ。
【請求項９】
前記シール体は、前記収納体の前記開口の領域で前記収納体に形成される対応するネジと噛み合うネジが形成される第１の実装部を備えている請求項１〜８の何れか１項に記載のシールアセンブリ。
【請求項１０】
前記第１の実装部は、管状となっている請求項９に記載のシールアセンブリ。
【請求項１１】
前記シール体を容器に固定するための装置をさらに備えており、
前記開位置では、前記容器は、前記シールアセンブリを介して、前記収納体から排出される製品を受け取る請求項１〜１０の何れか１項に記載のシールアセンブリ。
【請求項１２】
前記装置は、前記シール体の第２の実装部を含む請求項１１に記載のシールアセンブリ。
【請求項１３】
前記第２の実装部は、管状となっている請求項１２に記載のシールアセンブリ。
【請求項１４】
前記シール部材は、前記シール体を横方向に摺動可能に横切る請求項１〜１３の何れか１項に記載のシールアセンブリ。
【請求項１５】
前記シール部材は、前記シール体の前記貫通孔の一端を横切るように摺動可能に配置されている請求項１〜１４の何れか１項に記載のシールアセンブリ。
【請求項１６】
前記シール部材は、前記シール体の前記貫通孔の外端を横切るように摺動可能に配置されている請求項１５に記載のシールアセンブリ。
【請求項１７】
前記シール部材の前記ポートは、その長手方向における少なくとも一部が略円形となっている請求項１〜１６の何れか１項に記載のシールアセンブリ。
【請求項１８】
前記シール部材は、扁平体である請求項１〜１７の何れか１項に記載のシールアセンブリ。
【請求項１９】
前記シール部材の前記貫通孔は、その長手方向に沿ってテーパー状となっている請求項１〜１８の何れか１項に記載のシールアセンブリ。
【請求項２０】
前記収納体の内部に対して、前記ポートの最も広幅部が前記ポートの外端に位置する請求項１９に記載のシールアセンブリ。
【請求項２１】
前記シール部材は、前記シール体の側壁を通過するように移動可能である請求項１〜２０の何れか１項に記載のシールアセンブリ。
【請求項２２】
前記シール部材の外端部分は、拡大されるものである請求項２１に記載のシールアセンブリ。
【請求項２３】
前記シール部材の不用意な移動を制限または防止するための保護部材をさらに備える請求項１〜２２の何れか１項に記載のシールアセンブリ。
【請求項２４】
前記保護部材は、前記シール体の外面から延伸する１つまたは複数の保護壁を含む請求項２３に記載のシールアセンブリ。
【請求項２５】
前記シール部材の前記開位置への移動が、止め材によって制限される請求項１〜２４の何れか１項に記載のシールアセンブリ。
【請求項２６】
前記シール部材は、付勢されている請求項１〜２５の何れか１項に記載のシールアセンブリ。
【請求項２７】
前記シール部材は、前記閉位置へと付勢されている請求項２６に記載のシールアセンブリ。
【請求項２８】
前記シール部材は、弾性付勢アームによって付勢されている請求項２７に記載のシールアセンブリ。
【請求項２９】
前記弾性付勢アームは、前記シール体と前記シール部材との間に作用する請求項２８に記載のシールアセンブリ。
【請求項３０】
前記弾性付勢アームは、前記シール部材に接続される請求項２９に記載のシールアセンブリ。
【請求項３１】
前記シール部材は、ガイド部材によって略直線な経路に沿って移動するように制限される請求項１〜３０の何れか１項に記載のシールアセンブリ。
【請求項３２】
前記シール部材は、前記閉位置に保持され、前記シールアセンブリが容器に噛み合って、排出される製品を受け取る場合、開放されて前記開位置に移動する請求項１〜３１の何れか１項に記載のシールアセンブリ。
【請求項３３】
前記シール部材は、ホールド部材によって前記閉位置に保持される請求項３２に記載のシールアセンブリ。
【請求項３４】
前記ホールド部材は、ロック位置と解除位置との間で移動し、前記ロック位置では、前記シール部材が前記開位置に移動することができなく、前記解除位置では、前記シール部材が前記開位置に自在に移動することができる請求項３３に記載のシールアセンブリ。
【請求項３５】
前記ホールド部材は、前記ロック位置へと付勢されている請求項３４に記載のシールアセンブリ。
【請求項３６】
前記ホールド部材は、弾性を有する請求項３５に記載のシールアセンブリ。
【請求項３７】
前記ホールド部材は、前記シール部材に接続される請求項３３〜３６の何れか１項に記載のシールアセンブリ。
【請求項３８】
排出される製品の分量を測定するための容器であって、
側壁と、
前記側壁によって画定される開口と、
底部と、を備え、
前記底部から内方へ延伸する部材を備え、前記部材によって、前記底部の領域における前記容器の内部の体積を減少させる容器。
【請求項３９】
前記容器の前記側壁は、円錐台形となっている請求項３８に記載の容器。
【請求項４０】
前記部材は、テーパー状となっており、
前記部材の広幅部分は、前記底部を向かい、または前記底部に隣接する請求項３８または３９に記載の容器。
【請求項４１】
前記部材は、円錐形となっている請求項４０に記載の容器。
【請求項４２】
請求項１〜３７の何れか１項に記載のシールアセンブリを備える収納体。
【請求項４３】
測定容器をさらに備える請求項４２に記載の収納体。
【請求項４４】
前記測定容器は、請求項３８〜４０の何れか１項に記載の容器である請求項４３に記載の収納体。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
生のポテトから得たポテト多糖調製物を含む、哺乳動物において糖尿病を処置するための組成物であって、
該組成物の投与により該糖尿病の症状の重症度が低減する、組成物。
【請求項２】
生のポテトから得たポテト多糖調製物を含む、哺乳動物において脂肪肝疾患を処置するための組成物であって、
該組成物の投与により該脂肪肝疾患の症状の重症度が低減する、組成物。
【請求項３】
前記哺乳動物に投与される前記ポテト多糖調製物のポテト多糖成分を該哺乳動物の体重1kgあたり0.05mg〜50mgでもたらす量の該ポテト多糖調製物を含む、請求項1または2記載の組成物。
【請求項４】
1mg〜100mgの前記ポテト多糖調製物を含む、請求項1または2記載の組成物。
【請求項５】
6mg〜20mgの前記ポテト多糖調製物を含む、請求項1または2記載の組成物。
【請求項６】
前記ポテト多糖調製物のポテト多糖成分を1mg〜100mg含む、請求項1または2記載の組成物。
【請求項７】
前記ポテト多糖調製物のポテト多糖成分を6mg〜20mg含む、請求項1または2記載の組成物。
【請求項８】
錠剤の形態である、請求項1または2記載の組成物。
【請求項９】
αリポ酸を含む、請求項1または2記載の組成物。
【請求項１０】
αトコフェロールを含む、請求項1または2記載の組成物。
【請求項１１】
前記ポテト多糖調製物が、前記哺乳動物に投与される前記ポテト多糖調製物のポテト多糖成分を該哺乳動物の体重1kgあたり0.075mg〜0.5mgでもたらす量である、請求項1または2記載の組成物。
【請求項１２】
前記ポテト多糖調製物の少なくとも約80パーセントがポテト多糖である、請求項1または2記載の組成物。
【請求項１３】
前記ポテト多糖調製物の少なくとも約90パーセントがポテト多糖である、請求項1または2記載の組成物。
【請求項１４】
前記ポテト多糖調製物の少なくとも約95パーセントがポテト多糖である、請求項1または2記載の組成物。
【請求項１５】
前記哺乳動物がヒトである、請求項1または2記載の組成物。
【手続補正２】
【補正対象書類名】明細書
【補正対象項目名】００１２
【補正方法】変更
【補正の内容】
【００１２】
[本発明1001]
（a）糖尿病を有する哺乳動物を特定する段階、および
（b）該哺乳動物に、生のポテトから得たポテト多糖調製物を含む組成物を投与する段階
を含む、糖尿病を処置するための方法であって、
該糖尿病の症状の重症度が低減する、方法。
[本発明1002]
前記組成物が、前記哺乳動物に投与される前記ポテト多糖調製物のポテト多糖成分を該哺乳動物の体重1kgあたり0.05mg〜50mgでもたらす量の該ポテト多糖調製物を含む、本発明1001の方法。
[本発明1003]
前記組成物が、1mg〜100mgの前記ポテト多糖調製物を含む、本発明1001の方法。
[本発明1004]
前記組成物が、6mg〜20mgの前記ポテト多糖調製物を含む、本発明1001の方法。
[本発明1005]
前記組成物が、前記ポテト多糖調製物のポテト多糖成分を1mg〜100mg含む、本発明1001の方法。
[本発明1006]
前記組成物が、前記ポテト多糖調製物のポテト多糖成分を6mg〜20mg含む、本発明1001の方法。
[本発明1007]
前記組成物が錠剤の形態である、本発明1001の方法。
[本発明1008]
前記組成物がαリポ酸を含む、本発明1001の方法。
[本発明1009]
前記組成物がαトコフェロールを含む、本発明1001の方法。
[本発明1010]
前記ポテト多糖調製物が、前記哺乳動物に投与される前記ポテト多糖調製物のポテト多糖成分を該哺乳動物の体重1kgあたり0.075mg〜0.5mgでもたらす量である、本発明1001の方法。
[本発明1011]
前記ポテト多糖調製物の少なくとも約80パーセントがポテト多糖である、本発明1001の方法。
[本発明1012]
前記ポテト多糖調製物の少なくとも約90パーセントがポテト多糖である、本発明1001の方法。
[本発明1013]
前記ポテト多糖調製物の少なくとも約95パーセントがポテト多糖である、本発明1001の方法。
[本発明1014]
前記哺乳動物がヒトである、本発明1001の方法。
[本発明1015]
（a）脂肪肝疾患を有する哺乳動物を特定する段階、および
（b）該哺乳動物に、生のポテトから得たポテト多糖調製物を含む組成物を投与する段階
を含む、脂肪肝疾患を処置するための方法であって、
該脂肪肝疾患の症状の重症度が低減する、方法。
[本発明1016]
前記組成物が、前記哺乳動物に投与される前記ポテト多糖調製物のポテト多糖成分を該哺乳動物の体重1kgあたり0.05mg〜50mgでもたらす量の該ポテト多糖調製物を含む、本発明1015の方法。
[本発明1017]
前記組成物が、1mg〜100mgの前記ポテト多糖調製物を含む、本発明1015の方法。
[本発明1018]
前記組成物が、6mg〜20mgの前記ポテト多糖調製物を含む、本発明1015の方法。
[本発明1019]
前記組成物が、前記ポテト多糖調製物のポテト多糖成分を1mg〜100mg含む、本発明1015の方法。
[本発明1020]
前記組成物が、前記ポテト多糖調製物のポテト多糖成分を6mg〜20mg含む、本発明1015の方法。
[本発明1021]
前記組成物が錠剤の形態である、本発明1015の方法。
[本発明1022]
前記組成物がαリポ酸を含む、本発明1015の方法。
[本発明1023]
前記組成物がαトコフェロールを含む、本発明1015の方法。
[本発明1024]
前記ポテト多糖調製物が、前記哺乳動物に投与される前記ポテト多糖調製物のポテト多糖成分を該哺乳動物の体重1kgあたり0.075mg〜0.5mgでもたらす量である、本発明1015の方法。
[本発明1025]
前記ポテト多糖調製物の少なくとも約80パーセントがポテト多糖である、本発明1015の方法。
[本発明1026]
前記ポテト多糖調製物の少なくとも約90パーセントがポテト多糖である、本発明1015の方法。
[本発明1027]
前記ポテト多糖調製物の少なくとも約95パーセントがポテト多糖である、本発明1015の方法。
[本発明1028]
前記哺乳動物がヒトである、本発明1015の方法。
本発明の他の特徴および利点は、下記の詳細な説明、および特許請求の範囲から明らかとなるであろう。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
（質量％で）６６〜７６％のＳｉＯ2、０〜８％のＡｌ2Ｏ3、１０〜１８％のＢ2Ｏ3、０〜４％のＬｉ2Ｏ、０〜１２％のＮａ2Ｏ、０〜１２％のＫ2Ｏ、１〜１．５％のＡｇ、１．５〜２．５％のＣｌ-、並びに合計量が０．０１〜０．０６％のＣｕＯおよびＮｉＯを含むフォトクロミックホウケイ酸ガラス組成物であって、紫外線照射に曝露された際に、安定状態にある色または色合いから、より薄い色または色合いに脱色可能である、フォトクロミックホウケイ酸ガラス組成物。
【請求項２】
前記ガラス組成物が熱的に暗色化可能である、請求項１記載のフォトクロミックホウケイ酸ガラス組成物。
【請求項３】
前記ガラス組成物が、１５０℃以上の温度で熱的に暗色化可能である、請求項１または２記載のフォトクロミックホウケイ酸ガラス組成物。
【請求項４】
２〜１２％のＮａ2Ｏを含む、請求項１から３いずれか１項記載のフォトクロミックホウケイ酸ガラス組成物。
【請求項５】
前記ガラス組成物がＬｉ2Ｏを実質的に含まない、請求項１から４いずれか１項記載のフォトクロミックホウケイ酸ガラス組成物。
【請求項６】
前記ガラス組成物がＢｒ-を実質的に含まない、請求項１から５いずれか１項記載のフォトクロミックホウケイ酸ガラス組成物。
【請求項７】
基板層および請求項１から６いずれか１項記載のフォトクロミックホウケイ酸ガラス組成物から構成されたフォトクロミックホウケイ酸ガラス層を少なくとも１つ備えた多層ガラス積層板。
【請求項８】
ガラス組成物を強化する方法において、
（質量％で）６６〜７６％のＳｉＯ2、２〜８％のＡｌ2Ｏ3、１０〜１８％のＢ2Ｏ3、０〜４％のＬｉ2Ｏ、２〜１２％のＮａ2Ｏ、０〜１２％のＫ2Ｏ、１〜１．５％のＡｇ、１．５〜２．５％のＣｌ-、並びに合計量が０．０１〜０．０６％のＣｕＯおよびＮｉＯを含み、Ｂｒ-を実質的に含まないフォトクロミックホウケイ酸ガラス組成物を、溶融塩浴中に浸漬する工程であって、該フォトクロミックホウケイ酸ガラス組成物が、イオン交換を行うのに十分な時間に亘り十分な温度で該溶融塩浴中に浸漬される工程を有してなる方法。
【請求項９】
前記浴の温度が約３５０℃と４５０℃の間にあり、前記時間が約６時間と１０時間の間にある、請求項８記載の方法。
【請求項１０】
前記溶融塩浴がＫＮＯ3を含む、請求項８または９記載の方法。
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
糸を案内するためのゴデットであって、
前記ゴデットは、電気駆動部（２）に結合された駆動可能なゴデット周壁（１）を有するゴデットにおいて、
前記電気駆動部（２）は、動作中断後に、手動で形成された前記ゴデット周壁（１）の回転運動によって前記電気駆動部（２）の再始動が実施可能となるように構成されている、
ことを特徴とするゴデット。
【請求項２】
前記電気駆動部（２）は、制御電子機器（５）が組み込まれたブラシレス同期モータ（４）によって構成されており、
前記ゴデット周壁（１）は、前記ブラシレス同期モータ（４）のモータ軸（３）に固定的に接続されている、
請求項１記載のゴデット。
【請求項３】
前記制御電子機器（５）は、誘導された電圧（Ｕ）を検出するための電圧測定器（１６）と、始動信号を生成するための評価ユニット（１９）と、を有する、
請求項２記載のゴデット。
【請求項４】
前記制御電子機器（５）は、モータ電流（Ｉ）を検出するための電流測定器（１６）と、始動信号を生成するための評価ユニット（１９）と、を有する、
請求項２記載のゴデット。
【請求項５】
前記評価ユニット（１９）は、前記ブラシレス同期モータ（４）の前記モータ軸（３）の角加速度（ａ）を求めるための微分オペレータ（３３）を有する、
請求項３又は４記載のゴデット。
【請求項６】
前記評価ユニット（１９）は、前記角加速度（ａ）の実際値を保存された閾値（ａｓ）と比較するための比較器（３４）を有する、
請求項５記載のゴデット。
【請求項７】
前記ゴデット周壁（１）に、小さい間隔をおいて摩擦手段（２４）が割り当てられており、前記摩擦手段（２４）は、前記ゴデット周壁に対向する側に摩擦面（２６）を有し、
前記電気駆動部（２）は、作動トルク監視部（１６，１９）を有する、
請求項１から６のいずれか１項記載のゴデット。
【請求項８】
前記ゴデット周壁（１）は、糸（２９）を複数回巻き掛けた状態で案内するために、相対回動可能に支持されたローラ（２８）と協働する、
請求項１から７のいずれか１項記載のゴデット。
【請求項９】
前記電気駆動部（２）に、前記ゴデット周壁（１）を始動及び停止させるための手動スイッチ（２３）が割り当てられている、
請求項１から８のいずれか１項記載のゴデット。
【請求項１０】
ゴデットを制御する方法であって、
前記ゴデットのゴデット周壁を、電気駆動部によって駆動する方法において、
前記電気駆動部を、動作中断後に、手動で形成された前記ゴデット周壁の回転運動によって再始動させる、
ことを特徴とする方法。
【請求項１１】
前記ゴデット周壁を、制御電子機器が組み込まれたブラシレス同期モータのモータ軸によって駆動する、
請求項１０記載の方法。
【請求項１２】
前記モータ軸の回転運動中における前記ブラシレス同期モータの電流及び／又は電圧を測定し、測定値から、前記制御電子機器内で始動信号を生成する、
請求項１１記載の方法。
【請求項１３】
前記モータ軸の回転運動中における前記ブラシレス同期モータの時間的な電流増加及び／又は時間的な電圧増加を測定し、測定値から、前記制御電子機器内で始動信号を生成する、
請求項１１記載の方法。
【請求項１４】
前記モータ軸の角加速度を求め、前記角加速度の実際値と閾値との比較に基づいて前記始動信号を生成する、
請求項１２又は１３記載の方法。
【請求項１５】
前記電気駆動部の作動トルクを継続的に監視する、
請求項１０から１４のいずれか１項記載の方法。
【請求項１６】
繊維機械におけるゴデットを操作する方法であって、
動作状態において糸を案内するために電気駆動部によってゴデット周壁を駆動する方法において、
動作中断後に、操作員によって手動で形成された前記ゴデット周壁の回転運動によって前記電気駆動部の再始動を実施する、
ことを特徴とする方法。
【請求項１７】
前記ゴデット周壁を、制御電子機器が組み込まれたブラシレス同期モータによって駆動し、
前記ブラシレス同期モータを再始動させるために前記ゴデット周壁において手動で形成される前記回転運動を、モータ回転方向に、又は、モータ回転方向とは反対方向に実施する、
請求項１６記載の方法。
【請求項１８】
複数のゴデット周壁の複数の電気駆動部をグループスイッチングする際に、１つの電気駆動部を１つの手動で操作可能なスイッチによって始動及び停止させる、
請求項１６又は１７記載の方法。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
慢性腎臓病を有する患者における有害心臓事象に関連する死亡率及び罹患率を低下させる治療薬であって、クエン酸第二鉄を含み、1ｇ〜18ｇの範囲の量で該クエン酸第二鉄を該患者に経口投与するよう調剤されている、前記治療薬。
【請求項２】
慢性腎臓病を有する患者における有害心臓事象の発症率又はリスクを低下させる治療薬であって、クエン酸第二鉄を含み、1ｇ〜18ｇの範囲の量で該クエン酸第二鉄を該患者に経口投与するよう調剤されている、前記治療薬。
【請求項３】
慢性腎臓病を有する患者における有害心臓事象に関連する入院の頻度又はリスクを低下させる治療薬であって、クエン酸第二鉄を含み、1ｇ〜18ｇの範囲の量で該クエン酸第二鉄を該患者に経口投与するよう調剤されている、前記治療薬。  
【請求項４】
慢性腎臓病を有する患者における心臓突然死の発生率又はリスクを低下させる治療薬であって、クエン酸第二鉄を含み、1ｇ〜18ｇの範囲の量で該クエン酸第二鉄を該患者に経口投与するよう調剤されている、前記治療薬。  
【請求項５】
慢性腎臓病を有する患者における左心室肥大（LVH）を治療する治療薬であって、クエン酸第二鉄を含み、1ｇ〜18ｇの範囲の量で該クエン酸第二鉄を該患者に経口投与するよう調剤されている、前記治療薬。
【請求項６】
一以上の有害心臓事象を有すると診断されたヒト慢性腎臓病患者における、一以上の有害心臓事象を治療する治療薬であって、クエン酸第二鉄を含み、1ｇ〜18ｇの範囲の量で該クエン酸第二鉄を該患者に経口投与するよう調剤されている、前記治療薬。
【請求項７】
一以上の有害心臓事象を有すると診断されている、FGF-23レベルが上昇した、ヒト慢性腎臓病患者における、一以上の有害心臓事象を治療する治療薬であって、クエン酸第二鉄を含み、かつ1ｇ〜18ｇの範囲の量で該クエン酸第二鉄を該患者に経口投与するよう調剤されている、前記治療薬。
【請求項８】
前記慢性腎臓病患者が、(i) 一以上の鉄貯蔵パラメータ、 (ii) FGF-23 レベル、及び/又は (iii) 血清リンレベルの１、２又はすべてに関しモニターされる、請求項６又は７記載の治療剤。
【請求項９】
FGF-23レベルが上昇した、慢性腎臓病患者における、一以上の有害心臓事象を予防する治療薬であって、該慢性腎臓病患者が、(i) 一以上の鉄貯蔵パラメータ、 (ii) FGF-23 レベル、及び/又は (iii) 血清リンレベルの１、２又はすべてに関しモニターされ、クエン酸第二鉄を含み、かつ1ｇ〜18ｇの範囲の量で該クエン酸第二鉄を該患者に経口投与するよう調剤されている、前記治療薬。
【請求項１０】
前記患者が、健康なヒトにおける正常範囲と比較して上昇しているFGF-23レベルを有する、請求項７又は９記載の治療薬。
【請求項１１】
測定された前記FGF-23レベルが無傷なFGF-23、及びC-末端 FGF-23断片である、請求項１０記載の治療薬。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2016535772.tif 000001
[式中、
Ｒ１は、置換されていてもよい芳香族複素環基または置換されていてもよいＣ６−１４アリール基を示し；
Ｒ２は、水素原子または置換基を示し；
Ｒ３およびＲ４は、独立して、水素原子または置換基を示すか、またはＲ３とＲ４は、一緒になって、置換されていてもよい環を形成していてもよく；
Ｒ５およびＲ６は、独立して、水素原子または置換基を示すか、またはＲ５とＲ６は、一緒になって、置換されていてもよい環を形成していてもよく；
Ｘは、ＣＲ７Ｒ８、ＮＲ９、ＯまたはＳを示し；
Ｒ７およびＲ８は、独立して、水素原子または置換基を示すか、またはＲ７とＲ８は、一緒になって、置換されていてもよい環を形成していてもよく；
Ｒ９は、水素原子または置換基を示す。]
で表される化合物またはその塩。
【請求項２】
Ｒ１が、ハロゲン原子、置換されていてもよいＣ１−６アルキル基、置換されていてもよいＣ６−１４アリール基、置換されていてもよい複素環基、Ｃ３−１０シクロアルキルスルホニル基、Ｃ１−６アルキル−カルボニル基、芳香族複素環スルホニル基、およびハロゲン化されたスルファニル基から選ばれる１ないし３個の置換基でそれぞれ置換されていてもよい、芳香族複素環基またはＣ６−１４アリール基であり；
Ｒ２が、置換されていてもよいＣ１−６アルキル基、置換されていてもよいＣ３−１０シクロアルキル基、または置換されていてもよい非芳香族複素環基であり；
Ｒ３およびＲ４が、独立して、水素原子または置換されていてもよいＣ１−６アルキル基であり；
Ｒ５およびＲ６が、独立して、(1) 水素原子、(2) ヒドロキシ基、(3) 置換されていてもよいＣ１−６アルキル基、(4) 置換されていてもよいＣ１−６アルコキシ基、(5)(i) 置換されていてもよいＣ１−６アルキル基、(ii) 置換されていてもよいＣ１−６アルキル−カルボニル基、および (iii) 置換されていてもよいＣ１−６アルキルスルホニル基から選ばれる置換基でモノまたはジ置換されていてもよいアミノ基、(6) 置換されていてもよい非芳香族複素環基、(7) カルボキシ基、または(8) Ｃ１−６アルキル基でモノまたはジ置換されていてもよいカルバモイル基であるか、またはＲ５とＲ６は、一緒になって、置換されていてもよい非芳香族複素環、または置換されていてもよいＣ３−１０シクロアルカンを形成していてもよく；
Ｘが、ＣＲ７Ｒ８、ＮＲ９、ＯまたはＳであり；
Ｒ７およびＲ８が、独立して、水素原子、シアノ基、置換されていてもよいＣ１−６アルキル基、またはヒドロキシ基であるか、またはＲ７とＲ８は、一緒になって、置換されていてもよいＣ３−１０シクロアルカン、または置換されていてもよい非芳香族複素環を形成していてもよく；かつ
Ｒ９が、水素原子、置換されていてもよいＣ１−６アルキル基、置換されていてもよいＣ２−６アルケニル基、または置換されていてもよいＣ７−１６アラルキル基である、請求項１に記載の化合物。
【請求項３】
Ｘが、ＣＲ７Ｒ８またはＮＲ９であり；
Ｒ３およびＲ４が、いずれも水素原子である、請求項１に記載の化合物またはその塩。
【請求項４】
N-(3-(3-(2-ヒドロキシエチル)-2-オキソイミダゾリジン-1-イル)-1-メチル-1H-ピラゾール-4-イル)-2-(2-((2,2,2-トリフルオロエチル)アミノ)ピリジン-4-イル)-1,3-オキサゾール-4-カルボキサミドまたはその塩。
【請求項５】
N-(1-メチル-3-(2-オキソイミダゾリジン-1-イル)-1H-ピラゾール-4-イル)-2-(2-((2,2,2-トリフルオロエチル)アミノ)ピリジン-4-イル)-1,3-オキサゾール-4-カルボキサミドまたはその塩。
【請求項６】
N-(1-メチル-3-((3S)-3-メチル-2-オキソピロリジン-1-イル)-1H-ピラゾール-4-イル)-2-(2-((2,2,2-トリフルオロエチル)アミノ)ピリジン-4-イル)-1,3-オキサゾール-4-カルボキサミドまたはその塩。
【請求項７】
N-(3-(4-((ジメチルアミノ)メチル)-3,3-ジメチル-2-オキソピロリジン-1-イル)-1-メチル-1H-ピラゾール-4-イル)-2-(2-((2,2,2-トリフルオロエチル)アミノ)ピリジン-4-イル)-1,3-オキサゾール-4-カルボキサミドまたはその塩。
【請求項８】
N-(3-((3S,4S)-4-ヒドロキシ-3-メチル-2-オキソピロリジン-1-イル)-1-メチル-1H-ピラゾール-4-イル)-2-(2-((2,2,2-トリフルオロエチル)アミノ)ピリジン-4-イル)-1,3-オキサゾール-4-カルボキサミドまたはその塩。
【請求項９】
請求項１に記載の化合物またはその塩を含有してなる医薬。
【請求項１０】
インターロイキン１受容体関連キナーゼ４阻害剤である、請求項９に記載の医薬。
【請求項１１】
自己免疫疾患および／または炎症性疾患の予防または治療剤である、請求項９に記載の医薬。
【請求項１２】
多発性硬化症、全身性エリテマトーデス、痛風または花粉症の予防または治療剤である、請求項９に記載の医薬。
【手続補正２】
【補正対象書類名】明細書
【補正対象項目名】０４２４
【補正方法】変更
【補正の内容】
【０４２４】
製剤例3（軟膏剤の製造）                              
１）実施例１の化合物                    ０．５  ｇ
２）流動パラフィン                          １  ｇ
３）白色ワセリン                      ９８．５  ｇ
計  １００  ｇ
１）、２）を乳鉢でよく混ぜ合わせ、３）を練合しながら徐々に加えて全量１００ｇとする。得られたものをチューブに分配充填し、軟膏剤を得る。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
眼に投与するための医薬組成物であって、
エタボン酸ロテプレドノールを含むコア粒子と、
ポロキサマー４０７、ポロキサマー３３８、又はポロキサマー２３７を含む被覆剤と、を含む、
複数の被覆粒子、を含み、
前記組成物は、０．２５％ｗ／ｖのエタボン酸ロテプレドノール及び０．１２５％ｗ／ｖのポロキサマー４０７、ポロキサマー３３８、又はポロキサマー２３７を含む、
ことを特徴とする医薬組成物。
【請求項２】
眼に投与するための医薬組成物であって、
エタボン酸ロテプレドノールを含むコア粒子と、
ポロキサマー４０７、ポロキサマー３３８、又はポロキサマー２３７を含む被覆剤と、を含む、
複数の被覆粒子、を含み、
前記組成物は、１．０％ｗ／ｖのエタボン酸ロテプレドノール及び０．５％ｗ／ｖのポロキサマー４０７、ポロキサマー３３８、又はポロキサマー２３７を含む、
ことを特徴とする医薬組成物。
【請求項３】
前記医薬組成物を患者の眼に投与することにより、患者の眼における、炎症、黄斑変性、黄斑浮腫、ブドウ膜炎、ドライアイ、眼瞼炎、嚢胞様黄斑浮腫、網膜静脈閉塞症、後部ブドウ膜炎、糖尿病性黄斑浮腫、及び／又は他の障害の治療において使用される、
ことを特徴とする請求項１又は２に記載の医薬組成物。
【請求項４】
エタボン酸ロテプレドノールを含むコア粒子と、
ポロキサマー４０７、ポロキサマー３３８、又はポロキサマー２３７を含む被覆剤と、を含む、
複数の被覆粒子、を含む、
組成物を製造する方法であって、
前記組成物は、（１）０．２５％ｗ／ｖのエタボン酸ロテプレドノール及び０．１２５％ｗ／ｖのポロキサマー４０７、ポロキサマー３３８、もしくはポロキサマー２３７、又は、（２）１．０％ｗ／ｖのエタボン酸ロテプレドノール及び０．５％ｗ／ｖのポロキサマー４０７、ポロキサマー３３８、もしくはポロキサマー２３７を含み、
前記複数の被覆粒子は、約０．２ミクロンから約０．３ミクロンの平均最小断面寸法を有し、
当該方法は、
約２００ｎｍから約３００ｎｍの範囲の大きさのエタボン酸ロテプレドノール粒子のナノ懸濁液を製造するために、粉砕媒体の存在下で、粗い又は微粉化した結晶の形態の約２〜２０％のエタボン酸ロテプレドノール、約０．２〜２０％のポロキサマー４０７、ポロキサマー３３８、又はポロキサマー２３７、約０．５〜３％のグリセリン、約０．１〜１％の塩化ナトリウム、及び約０．００１〜０．１％のＥＤＴＡを含む粗い水性懸濁液を粉砕することと、
前記粉砕媒体からエタボン酸ロテプレドノール粒子の前記ナノ懸濁液を分離することと、
エタボン酸ロテプレドノール粒子の前記ナノ懸濁液を希釈剤と混合することと、を含む、
ことを特徴とする方法。
【請求項５】
１以上の眼科的に許容可能な担体、添加剤、及び／又は希釈剤を更に含み、
前記１以上の眼科的に許容可能な担体、添加剤、及び／又は希釈剤は、約０．５〜３％のグリセリン、約０．１〜１％の塩化ナトリウム、約０．００１〜０．１％のエチレンジアミン四酢酸二ナトリウム、及び約０．００１〜０．０５％の塩化ベンザルコニウムを含む、
ことを特徴とする請求項１又は２に記載の医薬組成物。
【請求項６】
薬剤が対象の眼の前部にある組織に達する、請求項３に記載の医薬組成物。
【請求項７】
薬剤が対象の眼の後部にある組織に達する、請求項３に記載の医薬組成物。
【請求項８】
前記ポロキサマー４０７、ポロキサマー３３８、又はポロキサマー２３７は、前記コア粒子に非共有結合的に吸着される、
ことを特徴とする請求項１又は２に記載の医薬組成物。
【請求項９】
前記複数の被覆粒子は、約２００ｎｍから約５００ｎｍの平均最小断面寸法を有する、
ことを特徴とする請求項１〜３のいずれか１項に記載の医薬組成物。  
【請求項１０】
エタボン酸ロテプレドノールを含むコア粒子と、
ポロキサマー４０７、ポロキサマー３３８、又はポロキサマー２３７を含む被覆剤と、を含む、
複数の被覆粒子と、
約０．５％から約１％のグリセリンと、
約０．１％から約１％の塩化ナトリウムと、
約０．０１％から約０．１％のエチレンジアミン四酢酸二ナトリウムと、
約０．０１％から約０．０３％の塩化ベンザルコニウムと、を含む眼に投与するための医薬組成物であって、
前記エタボン酸ロテプレドノールは、約０．２５重量％から約１重量％のエタボン酸ロテプレドノールの量で前記医薬組成物に存在し、且つ、
前記エタボン酸ロテプレドノールの重量対前記ポロキサマー４０７、ポロキサマー３３８、又はポロキサマー２３７の重量の割合は、約２：１である、
ことを特徴とする医薬組成物。
【請求項１１】
前記エタボン酸ロテプレドノールは、約０．２５重量％のエタボン酸ロテプレドノールの量で前記医薬組成物に存在する、
ことを特徴とする請求項１０に記載の医薬組成物。
【請求項１２】
前記エタボン酸ロテプレドノールは、約１重量％のエタボン酸ロテプレドノールの量で前記医薬組成物に存在する、
ことを特徴とする請求項１０に記載の医薬組成物。
【請求項１３】
前記グリセリンは、約０．６％の量で存在する、
ことを特徴とする請求項１１又は１２に記載の医薬組成物。
【請求項１４】
前記希釈剤は、約０．５〜３％のグリセリン、約０．１〜１％の塩化ナトリウム、約０．００１〜０．１％のエチレンジアミン四酢酸二ナトリウム、及び約０．００１〜０．０５％の塩化ベンザルコニウムを含む、
ことを特徴とする請求項４に記載の方法。